(57)【要約】【課題】  処理する物品の外観を記憶していない作業員でも作業ミスに気づいて正確な計量ができる計量装置を提供する。【解決手段】  計量装置１は、物品の重量を計量する計量器３０と、物品の品番および品名を含むアイテムデータならびにこの物品の形状を示す図形データを記憶したマスターファイル１０と、複数の物品の図形データをマスターファイル１０から読み出す読出し手段１１と、この読み出された複数の物品の図形データを表示する表示器４０とを備え、前記読出し手段１１は、さらに、選択された図形データに基づいて、マスターファイル１０から該当する物品を読み出す。【選択図】        図５   
2004286758.tif 000002
【特許請求の範囲】
【請求項１】
物品の品番および品名を含むアイテムデータならびにこの物品の形状を示す図形データを記憶したマスターファイルと、
物品の処理条件が入力される入力部と、
この処理条件から物品を読み出す読出し手段と、
この読み出された物品のアイテムデータおよび図形データを表示する表示器とを備えた物品の処理装置。
【請求項２】
請求項１において、前記読出し手段は、品番が入力されるキーからの指令により読み出しを行うものである物品の処理装置。
【請求項３】
請求項１において、前記読出し手段は、複数の物品の品名を表示する品名モードが入力されるキーからの指令により読み出しを行うものである物品の処理装置。
【請求項４】
請求項１において、前記読出し手段は、複数の物品の図形データを表示する図形モードが入力されるキーからの指令により読み出しを行うものである物品の処理装置。
【請求項５】
請求項１ないし４において、さらに、少なくとも物品の品名および形状を印字したラベルを発行するラベル発行部を備えた物品の処理装置。
【発明の詳細な説明】
【技術分野】
【０００１】
本発明は、多種類の物品の計量に適した処理装置に関するものである。
【背景技術】
【０００２】
抵抗器またはコンデンサ等の電気部品、その他種々の物品を注文数に応じて種類ごとに包装して出荷する場合、計数作業、袋詰め作業、およびその袋への計数結果のラベル貼付作業が行われる。
従来、図６に示すように、計数作業は計数はかり１を使用して行われる。計数はかり１は、入力キー２０、計量器３０、表示画面４０およびラベル発行部５０を有している。また、計数はかり１は、図７に示すマスターファイル１０を備え、アイテムデータとして物品毎の品番、品名、その他の詳細、および物品１個当たりの重量である単重等を記憶している。
【０００３】
通常、計数作業は以下の手順で行われる。
まず、作業員が、計測する品番と個数とが記入された作業指示書に従い、該当品番を図６の入力キー２０から入力し、該当品番が付された箱の中から物品を適当な量だけ取り出し、計数はかり１の計量器３０上に載せる。計数はかり１は、計量器３０上に載せられた物品の重量を計測し、入力された品番に対応する単重を図７のマスターファイル１０から求め、その単重と計測している重量から物品の個数を算出する。
【０００４】
次に、図８の表示器４０の表示画面４０ａの品名画面表示部４１に品名を、個数画面表示部４２に算出した個数を、重量画面表示部４３に計測している重量を、単重画面表示部４４に単重を表示する。作業員は、図６の計量器３０上の物品を増やしたり減らしたりすることで、表示画面４０に表示される計測している物品の個数と作業指示書に記入された個数とを一致させる。
【０００５】
計測作業完了後は、作業員のキー入力により図６の計数はかり１のラベル発行部５０からラベルを発行する。図９に示すように、発行するラベルＬには品番ラベル表示部Ｌ１に品番を、品名ラベル表示部Ｌ２に品名を、詳細ラベル表示部Ｌ３に詳細を、個数ラベル表示部Ｌ４に算出した物品の個数を印字する。
【０００６】
その後、作業員は図６の計量器３０上の物品を袋に詰め、発行されたラベルＬ（図９）をその袋に貼り付ける。
【発明の開示】
【発明が解決しようとする課題】
【０００７】
上記の計数作業を物品の形状や色等の外観を記憶していない作業員が行う場合、図８の表示画面４０の品名画面表示部４１に表示される物品の品名と箱から取り出して計測する物品とが一致しているか否かを確認することは容易でない。例えば、品名画面表示部４１に「炭素被膜抵抗器（フォーミング）」と表示された場合、作業員が「抵抗器」の形状をイメージできず、また、フォーミングは形状が曲げられていることを意味することがわからなければ、「炭素被膜抵抗器（フォーミング）」以外の物品を計測していても、誤りに気づくことができない。作業員が取り扱う物品全ての外観を記憶していればよいが、計数作業において取り扱うアイテム、すなわち物品の数が多くなると、全ての物品の品名とその外観を対応付けて記憶することは困難になる。
【０００８】
また、袋の中身とラベルが一致しているか否かを検査する出荷前の検品作業においても、物品の外観を記憶していない作業員が行う場合には、図９のラベルＬの品名ラベル表示部Ｌ２に印字された物品の品名「炭素被膜抵抗器（フォーミング）」と袋の中身とが一致しているか否かは、図面またはカタログで形状を確認して判断する必要があり、多くの物品毎に確認作業を行うと作業効率が悪くなる。
【０００９】
そこで、本発明は、処理する物品の外観を記憶していない作業員でも作業ミスに気づいて正確な処理ができ、かつ、検品作業の作業効率を良くする物品の処理装置を提供することを目的とする。
【課題を解決するための手段】
【００１０】
前記目的を達成するために、本発明の物品の処理装置は、物品の品番および品名を含むアイテムデータならびにこの物品の形状を示す図形データを記憶したマスターファイルと、物品の処理条件を入力する入力部と、この処理条件から物品を読み出す読出し手段と、この読み出された物品のアイテムデータおよび図形データを表示する表示器とを備えている。
この構成によれば、アイテムデータのみでなく図形データも表示器に表示するため、物品の外観を記憶していない作業員が計測作業を行っても、表示器に表示された図形データで計測する物品の形状を確認できるため、計測時に物品を取り違えるミスが防止される。
【００１１】
本発明の物品の処理装置の好ましい実施形態では、前記読出し手段は、品番が入力されるキーからの指令により読み出しを行う。この構成によれば、作業指示書に品番が記入されている場合、作業員は、その記入内容に応じてキーから入力すればよい。
【００１２】
本発明の物品の処理装置の他の好ましい実施形態では、前記読出し手段は、複数の物品の品名を表示する品名モードが入力されるキーからの指令により読み出しを行う。この構成によれば、作業員は複数の品名から該当品名を選択できるため、物品の品名の一部さえ認識していればよい。
【００１３】
本発明の物品の処理装置の他の好ましい実施形態では、前記読出し手段は、複数の物品の図形データを表示する図形モードが入力されるキーからの指令により読み出しを行う。この構成によれば、品番または品名を作業員が正確に認識していなくても、複数の図形データから選択できるため、作業員の負担が軽減される。
【００１４】
本発明の物品の処理装置のさらに好ましい実施形態では、少なくとも物品の品名および形状を印字したラベルを発行するラベル発行部を備えている。この構成によれば、ラベルに物品の形状が表示されているので、袋の中身とラベルが一致しているか否かを検査する出荷前の検品作業において、物品の外観を記憶していない作業員であっても、物品毎に図面またはカタログで外観を確認する必要がないため、作業効率が良くなる。
【発明の効果】
【００１５】
以上のように、本発明の物品の処理装置によれば、アイテムデータのみでなく図形データも表示器に表示するため、物品の外観を記憶していない作業員が計測作業を行っても、表示器に表示された図形データで計測する物品の形状を確認でき、物品を取り違えるミスが防止される。
【発明を実施するための最良の形態】
【００１６】
以下、本発明の実施形態を図面にしたがって説明する。
本発明の実施形態にかかる物品の処理装置である計数はかりは、図６の従来例と同一の外観を有している。図１にこの計数はかりのブロック図を示す。計数はかり１は入力部である入力キー２０、および読出し手段１１を備えており、読出し手段１１は、品番、品名および図形データのいずれかが入力される入力キー２０からの指令により物品の読み出しを行うものである。この入力キー２０からの指令についての詳細は後述するため、ここでは品番が入力される場合を説明する。
【００１７】
物品の処理条件の一つである品番が入力される入力キー２０からの指令により、読出し手段１１は、入力された品番を検索キーとして、品番が一致する物品のアイテムデータおよび図形データをマスターファイル１０から読み出す。マスターファイル１０は、図２に示すように、各物品毎の品番、品名、性能や定格等の詳細、および単重からなるアイテムデータ、ならびに図形データを記憶している。読出し手段１１（図１）では、入力された品番に一致する品番の物品をマスターファイル１０から検索し、この物品のアイテムデータおよび図形データを読み出す。物品が着色されている場合、図形データには色も含まれる。
【００１８】
図１に示すように、計数はかり１は計量器３０および計量データ読み込み手段１３を備えており、計量器３０で計量した物品の重量を計量データ読み込み手段１３が読み込む。計数はかり１は、また、処理部１２を備えており、この計量データ読み込み手段１３が読み込んだ物品の重量と読み出し手段１１がマスターファイル１０から読み込んだ単重とから、計量器３０上の物品の個数を算出する。計数はかり１はカラー表示器４０を備えており、アイテムデータ等の他、処理部１２で算出した計量器３０上の物品の個数も表示する。
【００１９】
図３に示すように、表示画面４０ａには品名等だけでなく、さらに、図形データ画面表示部４５に物品の図形データも表示する。
カラー表示画面４０ａの図形データ画面表示部４５に図形データが色付きで表示されるため、物品の外観を記憶していない作業員が計測作業を行っても、表示される図形データで計測する物品の外観を確認でき、計測時のミスが低減される。
【００２０】
図１に示すように計数はかり１は、さらに、ラベル発行部５０を備えており、計測作業完了後に、作業員のキー入力によってラベル発行部５０がラベルを発行する。
図４に示すように、ラベル発行部５０が発行するラベルＬには、品番等だけでなく、さらに、図形データラベル表示部Ｌ５に物品の図形データを印字する。印字ラベルは通常モノクロ印字されるので、着色された物品については、図形に添えて色彩名、例えば「赤」も表示される。
ラベルＬの図形データラベル表示部Ｌ５に図形データが印字されるので、ラベルが貼付された袋の中身とラベルが一致しているか否かを検査する出荷前の検品作業において、物品の外観を記憶していない作業員であっても、物品毎に図面またはカタログで外観を確認する必要がなく、作業効率が良くなる。
【００２１】
次に、本発明の実施形態にかかる計数はかりにおける入力キーからの指令により物品を読み出す処理について説明する。
本発明の実施形態にかかる計数はかりは、図１に示したように入力キー２０から品番が入力される指令のみでなく、品名および図形データが選択入力される指令によっても、読出し手段１１が物品の読み出しを行うことができる。
【００２２】
図５のフローチャートに、品番、品名および図形データが入力される図１の入力キー２０からの指令による物品の読み出し処理を示す。
計数はかり１は、入力キー２０から検索キー種別が入力されると（図５のステップＳ１）、検索キー種別を判断する（ステップＳ２）。
【００２３】
検索キー種別が「品番モード」の場合、続いて入力キー２０からは品番が入力されるため、読出し手段１１は、処理条件である入力された品番を検索キーとして、マスターファイル１０（図２）から該当物品を読み出す（ステップＳ３）。
【００２４】
検索キー種別が「品名モード」の場合、計数はかり１は、マスターファイル１０（図２）の品名一覧、すなわち複数の物品の品名を表示器４０に表示する（ステップＳ４）。続いて、表示された複数の品名の中から、作業者が該当する品名を選択し、入力キー２０、または表示器４０がタッチパネルの場合は表示器４０から、選択された品名を入力すると、読出し手段１１は、処理条件である入力された品名を検索キーとして、マスターファイル１０（図２）から該当物品を読み出す（ステップＳ５）。したがって、作業者が計数しようとする物品の品名の一部しか記憶していない場合でも、正しい物品名を入力できる。
【００２５】
入力種別が「図形モード」の場合、計数はかり１は、マスターファイル１０（図２）の図形データ一覧、すなわち複数の物品の図形データを、表示器４０に表示する（ステップ６）。表示器４０には、図形データのみでなく、物品の品名、その他の詳細および寸法等も同時に表示する。続いて入力キー２０、または表示器４０がタッチパネルの場合は表示器４０から、図形データが選択入力されるため、読出し手段１１は、処理条件である入力された図形データを検索キーとして、マスターファイル１０から該当物品を読み出す（ステップＳ７）。物品の数が多く、表示器４０に全図形データを表示できない場合は、複数のページにわたって図形データを表示する。作業員は、入力キー２０、またはタッチパネルの場合は表示器４０から、ページ操作を行い、該当の図形データを選びだす。
【００２６】
計数はかり１の読出し手段１１は、入力キー２０から品番、品名および図形データが入力されることにより物品の読み出しを行うことができるため、作業員は、品番、品名または図形データのいずれか一つ、またはその一部さえ認識していれば、計数作業を行うことができる。また、図形データの入力は、表示画面の図形データ一覧から選択できるため、物品の品名がわからない場合に、図形データ一覧から選択することができる。さらに、物品の品名、詳細および寸法等も図形データと同時に表示するため、作業員にとって該当物品の選択は容易となる。
【００２７】
本実施形態において、物品の処理装置は個数を計る計数はかりであるが、重量を計る重量はかり等であってもよい。また、計数はかりや重量はかりのような計測器に限らず、アイテムが多い物品の図形データの検索、または図形データから物品名の検索等にも用いることができる。物品が着色されている場合でも、色データは割愛できる。
【図面の簡単な説明】
【００２８】
【図１】本発明の実施形態にかかる物品の処理装置を示すブロック図である。
【図２】同実施形態にかかる物品の処理装置のマスターファイルを示す図である。
【図３】同実施形態にかかる物品の処理装置の表示画面を示す図である。
【図４】同実施形態にかかる物品の処理装置により発行されたラベルを示す図である。
【図５】同実施形態にかかる物品の読み出し処理を示すフローチャートである。
【図６】物品の処理装置である計数はかりを示す斜視図である。
【図７】従来の物品の処理装置のマスターファイルを示す図である。
【図８】同物品の処理装置の表示画面を示す図である。
【図９】同物品の処理装置により発行されたラベルを示す図である。
【符号の説明】
【００２９】
１…物品の処理装置、１０…マスターファイル、１１…読出し手段、２０…入
力部、４０…表示器、５０…ラベル発行部。
【図１】
2004286758.tif 000003
【図２】
2004286758.tif 000004
【図３】
2004286758.tif 000005
【図４】
2004286758.tif 000006
【図５】
2004286758.tif 000007
【図６】
2004286758.tif 000008
【図７】
2004286758.tif 000009
【図８】
2004286758.tif 000010
【図９】
2004286758.tif 000011
【手続補正書】
【提出日】平成16年5月11日(2004.5.11)
【手続補正１】
【補正対象書類名】特許請求の範囲
【補正対象項目名】全文
【補正方法】変更
【補正の内容】
【特許請求の範囲】
【請求項１】
物品の重量を計量する計量器と、
物品の品番および品名を含むアイテムデータならびにこの物品の形状を示す図形データを記憶したマスターファイルと、
複数の物品の図形データを前記マスターファイルから読み出す読出し手段と、
この読み出された複数の物品の図形データを表示する表示器とを備え、
前記読出し手段は、さらに、選択された図形データに基づいて、前記マスターファイルから該当する物品を読み出すことを特徴とする計量装置。
【請求項２】
請求項１において、前記アイテムデータには、さらに、物品の重量データが含まれる計量装置。
【請求項３】
請求項１または２において、前記表示器は、前記図形データとともに当該物品の品名を表示する計量装置。
【手続補正２】
【補正対象書類名】明細書
【補正対象項目名】全文
【補正方法】変更
【補正の内容】
【発明の詳細な説明】
【技術分野】
【０００１】
本発明は、多種類の物品の計量に適した計量装置に関するものである。
【背景技術】
【０００２】
抵抗器またはコンデンサ等の電気部品、その他種々の物品を注文数に応じて種類ごとに包装して出荷する場合、計数作業、袋詰め作業、およびその袋への計数結果のラベル貼付作業が行われる。
従来、図６に示すように、計数作業は計数はかり１を使用して行われる。計数はかり１は、入力キー２０、計量器３０、表示画面４０およびラベル発行部５０を有している。また、計数はかり１は、図７に示すマスターファイル１０を備え、アイテムデータとして物品毎の品番、品名、その他の詳細、および物品１個当たりの重量である単重等を記憶している。
【０００３】
通常、計数作業は以下の手順で行われる。
まず、作業員が、計測する品番と個数とが記入された作業指示書に従い、該当品番を図６の入力キー２０から入力し、該当品番が付された箱の中から物品を適当な量だけ取り出し、計数はかり１の計量器３０上に載せる。計数はかり１は、計量器３０上に載せられた物品の重量を計測し、入力された品番に対応する単重を図７のマスターファイル１０から求め、その単重と計測している重量から物品の個数を算出する。
【０００４】
次に、図８の表示器４０の表示画面４０ａの品名画面表示部４１に品名を、個数画面表示部４２に算出した個数を、重量画面表示部４３に計測している重量を、単重画面表示部４４に単重を表示する。作業員は、図６の計量器３０上の物品を増やしたり減らしたりすることで、表示画面４０に表示される計測している物品の個数と作業指示書に記入された個数とを一致させる。
【０００５】
計測作業完了後は、作業員のキー入力により図６の計数はかり１のラベル発行部５０からラベルを発行する。図９に示すように、発行するラベルＬには品番ラベル表示部Ｌ１に品番を、品名ラベル表示部Ｌ２に品名を、詳細ラベル表示部Ｌ３に詳細を、個数ラベル表示部Ｌ４に算出した物品の個数を印字する。
【０００６】
その後、作業員は図６の計量器３０上の物品を袋に詰め、発行されたラベルＬ（図９）をその袋に貼り付ける。
【発明の開示】
【発明が解決しようとする課題】
【０００７】
上記の計数作業を物品の形状や色等の外観を記憶していない作業員が行う場合、図８の表示画面４０の品名画面表示部４１に表示される物品の品名と箱から取り出して計測する物品とが一致しているか否かを確認することは容易でない。例えば、品名画面表示部４１に「炭素被膜抵抗器（フォーミング）」と表示された場合、作業員が「抵抗器」の形状をイメージできず、また、フォーミングは形状が曲げられていることを意味することがわからなければ、「炭素被膜抵抗器（フォーミング）」以外の物品を計測していても、誤りに気づくことができない。作業員が取り扱う物品全ての外観を記憶していればよいが、計数作業において取り扱うアイテム、すなわち物品の数が多くなると、全ての物品の品名とその外観を対応付けて記憶することは困難になる。
【０００８】
また、袋の中身とラベルが一致しているか否かを検査する出荷前の検品作業においても、物品の外観を記憶していない作業員が行う場合には、図９のラベルＬの品名ラベル表示部Ｌ２に印字された物品の品名「炭素被膜抵抗器（フォーミング）」と袋の中身とが一致しているか否かは、図面またはカタログで形状を確認して判断する必要があり、多くの物品毎に確認作業を行うと作業効率が悪くなる。
【０００９】
そこで、本発明は、計測する物品の外観を記憶していない作業員でも作業ミスに気づいて正確な計量ができる計量装置を提供することを目的とする。
【課題を解決するための手段】
【００１０】
前記目的を達成するために、本発明の計量装置は、物品の重量を計量する計量器と、物品の品番および品名を含むアイテムデータならびにこの物品の形状を示す図形データを記憶したマスターファイルと、複数の物品の図形データを前記マスターファイルから読み出す読出し手段と、この読み出された複数の物品の図形データを表示する表示器とを備え、前記読出し手段は、さらに、選択された図形データに基づいて、前記マスターファイルから該当する物品を読み出すことを特徴とする。
この構成によれば、表示器に表示された複数の物品の図形データから計測する物品の図形データを選択できるため、物品の外観を記憶していない作業員が計測作業を行っても、この選択に基づいて計測する物品を正確に読み出すことができ、計測時に物品を取り違えるミスが防止される。
【００１１】
本発明の計量装置の他の好ましい実施形態では、前記アイテムデータには、さらに、物品の重量データが含まれる。この構成によれば、読み出された物品の重量データに基づいて正確に計量できる。
【００１２】
本発明の計量装置の好ましい実施形態では、前記表示器は、前記図形データとともに当該物品の品名を表示する。この構成によれば、表示器に表示された図形データおよび品名から、計測する図形データおよび品名を選択できるため、作業員が物品の品名の一部さえ認識していれば、計測時に物品を取り違えるミスがより防止される。
【発明を実施するための最良の形態】
【００１３】
以下、本発明の実施形態を図面にしたがって説明する。
本発明の実施形態にかかる計量装置である計数はかりは、図６の従来例と同一の外観を有している。図１にこの計数はかりのブロック図を示す。計数はかり１は入力部である入力キー２０、および読出し手段１１を備えており、読出し手段１１は、品番、品名および図形データのいずれかが入力される入力キー２０からの指令により物品の読み出しを行うものである。この入力キー２０からの指令についての詳細は後述するため、ここでは参考例として品番が入力される場合を説明する。
【００１４】
物品の処理条件の一つである品番が入力される入力キー２０からの指令により、読出し手段１１は、入力された品番を検索キーとして、品番が一致する物品のアイテムデータおよび図形データをマスターファイル１０から読み出す。マスターファイル１０は、図２に示すように、各物品毎の品番、品名、性能や定格等の詳細、および単重からなるアイテムデータ、ならびに図形データを記憶している。読出し手段１１（図１）では、入力された品番に一致する品番の物品をマスターファイル１０から検索し、この物品のアイテムデータおよび図形データを読み出す。物品が着色されている場合、図形データには色も含まれる。
【００１５】
図１に示すように、計数はかり１は計量器３０および計量データ読み込み手段１３を備えており、計量器３０で計量した物品の重量を計量データ読み込み手段１３が読み込む。計数はかり１は、また、処理部１２を備えており、この計量データ読み込み手段１３が読み込んだ物品の重量と読出し手段１１がマスターファイル１０から読み込んだ単重とから、計量器３０上の物品の個数を算出する。計数はかり１はカラー表示器４０を備えており、アイテムデータ等の他、処理部１２で算出した計量器３０上の物品の個数も表示する。
【００１６】
図３に示すように、表示画面４０ａには品名等だけでなく、さらに、図形データ画面表示部４５に物品の図形データも表示する。
カラー表示画面４０ａの図形データ画面表示部４５に図形データが色付きで表示されるため、物品の外観を記憶していない作業員が計測作業を行っても、表示される図形データで計測する物品の外観を確認でき、計測時のミスが低減される。
【００１７】
図１に示すように計数はかり１は、さらに、ラベル発行部５０を備えており、計測作業完了後に、作業員のキー入力によってラベル発行部５０がラベルを発行する。
図４に示すように、ラベル発行部５０が発行するラベルＬには、品番等だけでなく、さらに、図形データラベル表示部Ｌ５に物品の図形データを印字する。印字ラベルは通常モノクロ印字されるので、着色された物品については、図形に添えて色彩名、例えば「赤」も表示される。
ラベルＬの図形データラベル表示部Ｌ５に図形データが印字されるので、ラベルが貼付された袋の中身とラベルが一致しているか否かを検査する出荷前の検品作業において、物品の外観を記憶していない作業員であっても、物品毎に図面またはカタログで外観を確認する必要がなく、作業効率が良くなる。
【００１８】
次に、本発明の実施形態にかかる計数はかりにおける入力キーからの指令により物品を読み出す処理について説明する。
本発明の実施形態にかかる計数はかりは、図１に参考例として示したように入力キー２０から品番が入力される指令や、品名が入力される指令のみでなく、本発明の図形データが選択入力される指令によって、読出し手段１１が物品の読み出しを行うことができる。
【００１９】
図５のフローチャートに、品番、品名および図形データが入力される図１の入力キー２０からの指令による物品の読み出し処理を示す。
計数はかり１は、入力キー２０から検索キー種別が入力されると（図５のステップＳ１）、検索キー種別を判断する（ステップＳ２）。
【００２０】
検索キー種別が「品番モード」の場合、続いて入力キー２０からは品番が入力されるため、読出し手段１１は、処理条件である入力された品番を検索キーとして、マスターファイル１０（図２）から該当物品を読み出す（ステップＳ３）。
【００２１】
検索キー種別が「品名モード」の場合、計数はかり１は、マスターファイル１０（図２）の品名一覧、すなわち複数の物品の品名を表示器４０に表示する（ステップＳ４）。続いて、表示された複数の品名の中から、作業者が該当する品名を選択し、入力キー２０、または表示器４０がタッチパネルの場合は表示器４０から、選択された品名を入力すると、読出し手段１１は、処理条件である入力された品名を検索キーとして、マスターファイル１０（図２）から該当物品を読み出す（ステップＳ５）。したがって、作業者が計数しようとする物品の品名の一部しか記憶していない場合でも、正しい物品名を入力できる。
【００２２】
本発明にかかる入力種別が「図形モード」の場合、計数はかり１は、マスターファイル１０（図２）の図形データ一覧、すなわち複数の物品の図形データを、表示器４０に表示する（ステップ６）。表示器４０には、図形データのみでなく、物品の品名、その他の詳細および寸法等も同時に表示する。続いて入力キー２０、または表示器４０がタッチパネルの場合は表示器４０から、図形データが選択入力されるため、読出し手段１１は、処理条件である入力された図形データを検索キーとして、マスターファイル１０から該当物品を読み出す（ステップＳ７）。物品の数が多く、表示器４０に全図形データを表示できない場合は、複数のページにわたって図形データを表示する。作業員は、入力キー２０、またはタッチパネルの場合は表示器４０から、ページ操作を行い、該当の図形データを選びだす。
【００２３】
計数はかり１の読出し手段１１は、入力キー２０から品番、品名および図形データが入力されることにより物品の読み出しを行うことができるため、作業員は、品番、品名または図形データのいずれか一つ、またはその一部さえ認識していれば、計数作業を行うことができる。また、図形データの入力は、表示画面の図形データ一覧から選択できるため、物品の品名がわからない場合に、図形データ一覧から選択することができる。さらに、物品の品名、詳細および寸法等も図形データと同時に表示するため、作業員にとって該当物品の選択は容易となる。
【００２４】
本実施形態において、計量装置は個数を計る計数はかりであるが、重量を計る重量はかり等であってもよい。また、計数はかりや重量はかりのような計測器に限らず、アイテムが多い物品の図形データの検索、または図形データから物品名の検索等にも用いることができる。物品が着色されている場合でも、色データは割愛できる。
【図面の簡単な説明】
【００２５】
【図１】本発明の実施形態にかかる計量装置を示すブロック図である。
【図２】同実施形態にかかる計量装置のマスターファイルを示す図である。
【図３】同実施形態にかかる計量装置の表示画面を示す図である。
【図４】同実施形態にかかる計量装置により発行されたラベルを示す図である。
【図５】同実施形態にかかる物品の読み出し処理を示すフローチャートである。
【図６】計量装置である計数はかりを示す斜視図である。
【図７】従来の計量装置のマスターファイルを示す図である。
【図８】同計量装置の表示画面を示す図である。
【図９】同計量装置により発行されたラベルを示す図である。
【符号の説明】
【００２６】
１…計量装置、１０…マスターファイル、１１…読出し手段、２０…入
力部、３０…計量器、４０…表示器、５０…ラベル発行部。
【手続補正３】
【補正対象書類名】図面
【補正対象項目名】図１
【補正方法】変更
【補正の内容】
【図１】
2004286758.tif 000012